(57)【要約】      （修正有）【課題】簡単な構造でありながら、内部の握り飯を簡単に取り出したり、露出させることができる握り飯用包装材および握り飯用包装材原反を提供する。【解決手段】握り飯用包装材原反１は、帯状の第１のフィルムと、その第１のフィルムに沿ってその側部に接続された第２のフィルム３を有し、第１のフィルムの側縁部には第２のフィルム３と重なっているが接続されていない非接続帯６が形成されており、この非接続帯６には所定の間隔を有する一対の切り込み７が所定の周期Ｌで設けられていることを特徴とする。【選択図】図１
0003152459.tif 000002
【実用新案登録請求の範囲】
【請求項１】
第１のフィルムと、その第１のフィルムの側部に接続された第２のフィルムを有し、第１のフィルムの側縁部には第２のフィルムと重なっているが接続されていない非接続帯が形成されており、この非接続帯には所定の間隔を有する一対の切り込みが設けられていることを特徴とする握り飯用包装材。
【請求項２】
帯状の第１のフィルムと、その第１のフィルムに沿ってその側部に接続された第２のフィルムを有し、第１のフィルムの側縁部には第２のフィルムと重なっているが接続されていない非接続帯が形成されており、この非接続帯には所定の間隔を有する一対の切り込みが所定の周期で設けられていることを特徴とする握り飯用包装材原反。
【考案の詳細な説明】
【技術分野】
【０００１】
この考案は、握り飯を包むための包装材およびその原反に関するものである。
【背景技術】
【０００２】
特許文献１や特許文献２には、おにぎり包装用フィルムが記載されている。透明な長方形のフィルムであり、中央部にカットテープが設けられている。そして、そのカットテープ上に半円状の切り込みが形成されていている。この切込み部がカットテープの端となるので、これを指でつまんで引き上げることによって、包装材のフィルムはカットテープに沿って切断され、中の握り飯を取り出すことができる。
【０００３】
この特許文献１や特許文献２は意匠公報であり、１枚のおにぎり包装用フィルムが記載されている。このような包装用フィルムは、通常は連続的に連なった帯状の原反がロール状に巻かれた状態で供給される。このようなロールから包装用フィルムを切り出し、握り飯を自動的に包む自動包装機械は既に普及している。
【先行技術文献】
【特許文献】
【０００４】
【特許文献１】意匠公報第１２０３５４０
【特許文献２】意匠公報第１２０４００８
【考案の概要】
【考案が解決しようとする課題】
【０００５】
特許文献１および特許文献２に記載されているおにぎり包装用フィルムにおいては、カットテープの端部を形成するための切り込みが、フィルムの中心部付近に設けられ、さらにカットテープの端部を保護するための保護テープが上に貼られるなど、複雑な構成をしている。また、細いカットテープの幅分しか切断されないため、握り飯が食べられるように露出させにくい。
【０００６】
この考案は、簡単な構造でありながら、内部の握り飯を簡単に取り出したり、露出させることができる握り飯用包装材および握り飯用包装材原反を提供することを目的とする。
【課題を解決するための手段】
【０００７】
上述の課題を解決するため、この考案の握り飯用包装材は、第１のフィルムと、その第１のフィルムの側部に接続された第２のフィルムを有し、第１のフィルムシートの側縁部には第２のフィルムと重なっているが接続されていない非接続帯が形成されており、この非接続帯には所定の間隔を有する一対の切り込みが設けられていることを特徴とする。また、この考案の握り飯用包装材原反は、帯状の第１のフィルムと、その第１のフィルムに沿ってその側部に接続された第２のフィルムを有し、第１のフィルムの側縁部には第２のフィルムと重なっているが接続されていない非接続帯が形成されており、この非接続帯には所定の間隔を有する一対の切り込みが所定の周期で設けられていることを特徴とする。
【考案の効果】
【０００８】
この考案の握り飯用包装材は、非接続帯に形成された一対の切り込みの部分を引き上げることによって、簡単に開くことができる。切り込みの間隔を自由に設定でき、内部の食材に適した幅で切断することができる。
【図面の簡単な説明】
【０００９】
【図１】握り飯用包装材原反を示す斜視図である。
【図２】握り飯用包装材の使用状態を示す斜視図である。
【考案を実施するための形態】
【００１０】
この考案を実施するための形態について図面に基づいて説明する。図１は握り飯用包装材原反を示す斜視図、図２は握り飯用包装材の使用状態を示す斜視図である。
【００１１】
握り飯用包装材原反は、薄い透明フィルムにより作られる。図１では、考案の把握を容易にするため、厚さを強調して表示している。
【００１２】
握り飯用包装材原反１は、帯状の第１のフィルム２と、その第１のフィルム２に沿ってその側部に接続された第２のフィルム３を有する。第１のフィルム２は、握り飯用包装材原反１の主要な部分を成している幅の広い帯状の部材である。一方、第２のフィルム３は、第１のフィルム２よりも幅が狭い。第１のフィルム２の一つの側端部に第２のフィルム３が熱圧着などで貼り付けられている。
【００１３】
接続帯４は第１のフィルム２の側縁５よりもやや内側に設けられている。この接続帯４の外側（図１において右側）には、第２のフィルムシートと重なっているが接続されていない非接続帯６が形成されている。
【００１４】
非接続帯６には所定の間隔を有する一対の切り込み７が設けられている。切り込み７は側縁５より内側に向けて形成されている。この切り込み７同士の間隔は、包装されるべき握り飯に合わせて自由に選択できるが、通常の包装に使用されるカットテープの幅よりは広くすることが好ましい。
【００１５】
切り込み７の位置を示すための表示８が、近くに設けられている。第１のフィルム２は透明であり、また、切り込み７の幅は狭いため、切り込み７は視認しにくいが、この表示８によって、消費者は容易に見つけることができる。
【００１６】
一対の切り込み７と表示８は、握り飯用包装材原反１の長さ方向に沿って一定の周期Ｌで繰り返し現れる。この周期Ｌが、一枚の握り飯用包装材の長さに対応する。
【００１７】
第２のフィルム３が接続されている側とは逆の側（図１において左側）の第１のフィルム２の縁部には、第３のフィルム９が取り付けられている。この第３のフィルム９は、第２のフィルム３と同じ厚さを有する。また、第２のフィルム３と第３のフィルム９は、第１のフィルム２の同じ面（図１において下側）に取り付けられる。握り飯用包装材原反１はロール状に巻かれた状態で提供されるが、第２のフィルム３と同じ厚さを有する第２のフィルム３を設けることによって、ほぼ一定の径で巻き上げることができる。
【００１８】
ついで、握り飯用包装材原反１の使用方法について説明する。この握り飯用包装材原反１は通常は、図１に示すように巻かれた状態で、握り飯の供給者に提供される。握り飯の供給者は、この握り飯用包装材原反１を専用の包装機械に取り付けて、握り飯の包装を行う。包装機械は既に普及している周知のものであり、たとえば、特許文献１や特許文献２に記載された包装フィルムなどにも使用されている。
【００１９】
握り飯用包装材原反１をロールから引き出し、図１の点線で示すところで裁断する。こうして、一枚の握り飯用包装材１ａが作られる。たとえば、直径８ｃｍ程度の円盤状の握り飯用として、幅２０ｃｍ程度の原反から長さ２２．５ｃｍ程度の周期で裁断している。一対の切り込み７と表示８は、切り出された握り飯用包装材１ａの長さ方向において、ほぼ中央に位置する。
【００２０】
この握り飯用包装材１ａにより、握り飯を包む。裁断および包装は包装機械により自動的に行われるが、これは周知の技術であるので、説明を要しない。すなわち、握り飯用包装材原反１および握り飯用包装材１ａのために、新たな包装機械を導入する必要はない。
【００２１】
握り飯は、図２に示すように包装される。ここでは、平べったい円盤状の握り飯が包装されており、切り込み７は握り飯の上面に位置している。消費者は一対の切り込み７の間をつまんで引き上げる。切り込み７の位置および引き上げ方向は表示８によって示されている。また、切り込み７は非接続帯６に設けられているので、この部分をつまみやすい。二つの切り込み７に沿って握り飯用包装材１ａは切断される。広い幅で切断されるので、握り飯用包装材１ａを開きやすい。こうして、握り飯を食べやすいように露出させたり、取り出したりすることができる。
【符号の説明】
【００２２】
１．握り飯用包装材原反
２．第１のフィルム
３．第２のフィルム
４．接続帯
６．非接続帯
７．切り込み
【図１】
0003152459.tif 000003
【図２】
0003152459.tif 000004